(57)【特許請求の範囲】
【請求項１】
情報センタとの間で双方向通信を行う双方向データ通信手段と、
車載機と接続された状態において該車載機とデータ通信を行う通信手段と、
前記車載機から受信したデータを記憶する記憶手段と、
前記記憶手段に記憶されたデータを読み出して表示する表示手段と、
を有し、
前記双方向データ通信手段は、前記車載機と接続された状態であることを前記情報センタに送信するとともに、前記情報センタから返信される目的地までの経路データを受信し、
前記通信手段は、受信した前記経路データを前記車載機に送信するとともに、車両が前記目的地から案内経路上の規定の距離内である目的地近傍に到達した場合に、前記車載機から送信される、前記目的地から規定の距離内である目的地近傍の経路データを受信し、
前記記憶手段は、前記目的地から規定の距離内である目的地近傍の経路データを記憶し、
前記表示手段は、前記車載機と分離した状態において前記記憶手段に記憶された前記経路データを読み出して表示する
ことを特徴とする携帯型端末装置。
【請求項２】
請求項１記載の装置において、
前記通信手段は、車両が前記目的地から案内経路上の規定の距離内である目的地近傍に到達した場合に前記車載機から送信される、前記携帯型端末装置を前記車載機から分離した位置である分離位置を受信し、
前記記憶手段は、前記分離位置を記憶し、
前記表示手段は、前記車載機と分離した状態において前記記憶手段に記憶された前記分離位置を読み出して表示する
ことを特徴とする携帯型端末装置。
【請求項３】
請求項１記載の携帯型端末装置と接続する接続手段と、
前記携帯型端末装置から供給されたデータに基づいて処理する処理手段と、
を有することを特徴とする車載情報処理装置。
【請求項４】
請求項３記載の装置において、さらに、
自車の現在位置を検出する位置検出手段と、
を有し、前記処理手段は、検出された現在位置及び前記携帯型端末装置から供給されたデータに基づいてナビゲーション機能を実行することを特徴とする車載情報処理装置。
【請求項５】
請求項３、４のいずれかに記載の装置において、さらに、
音声入力手段と、
音声出力手段と、
を有し、前記処理手段は、前記音声入力手段から入力された音を前記携帯型端末装置を介して情報センタに送信するとともに、前記携帯型端末装置から供給された音データを前記音声出力手段から出力することを特徴とする車載情報処理装置。
【請求項６】
請求項３〜５のいずれかに記載の装置において、さらに、
前記携帯型端末装置に電力を供給する電源と、
を有することを特徴とする車載情報処理装置。
【発明の詳細な説明】
【０００１】
【発明の属する技術分野】
本発明は車載情報処理装置、特に車載機と携帯型端末とを用いた情報の提供に関する。
【０００２】
【従来の技術】
従来より、コンピュータを用いた種々の車両用情報提供システムが提案されている。例えば、特表平１１−５０００８４号公報には、フェースプレートモジュール、サポートモジュール、及びコンピュータモジュールからなる車両用コンピュータシステムが記載されている。フェースプレートモジュールは、デジタル信号プロセッサを有し、取り外し自在に構成される。フェースプレートモジュールは、ＡＭ／ＦＭチューナ、ディスプレイ、キーパッド、ＣＯＤＥＣを有し、携帯用ラジオとして動作可能であり、また、スピーカ及びマイクロフォンを内蔵したＣＯＤＥＣを使用することにより携帯電話としても機能する。さらに、ページング情報の受信、ボイスノートの取得を行うこともできる。なお、フェースプレートモジュールは、取り外している間、電池のような独立した電源により給電する。
【０００３】
【発明が解決しようとする課題】
しかしながら、上記従来技術では、フェースプレートモジュールはコンピュータモジュールと結合された場合にナビゲーションシステムとして機能するが、取り外した場合にはナビゲーションとしての機能が失われ、例えばユーザがフェースプレートモジュールを携帯して車両から離れ、徒歩で目的地に向かうときにユーザが必要とする地図データなどを表示することができない問題があった。
【０００４】
本発明は、上記従来技術の有する課題に鑑みなされたものであり、その目的は、車載機と携帯型端末機との共働をより一層機能的なものとするとともに、よりユーザフレンドリーなナビゲーション機能を提供することができる装置を提供することにある。
【０００５】
【課題を解決するための手段】
上記目的を達成するために、本発明は、情報センタとの間で双方向通信を行う双方向データ通信手段と、車載機と接続された状態において該車載機とデータ通信を行う通信手段と、前記車載機から受信したデータを記憶する記憶手段と、前記記憶手段に記憶されたデータを読み出して表示する表示手段とを有し、前記双方向データ通信手段は、前記車載機と接続された状態であることを前記情報センタに送信するとともに、前記情報センタから返信される目的地までの経路データを受信し、前記通信手段は、受信した前記経路データを前記車載機に送信するとともに、車両が前記目的地から案内経路上の規定の距離内である目的地近傍に到達した場合に、前記車載機から送信される、前記目的地から規定の距離内である目的地近傍の経路データを受信し、前記記憶手段は、前記目的地から規定の距離内である目的地近傍の経路データを記憶し、前記表示手段は、前記車載機と分離した状態において前記記憶手段に記憶された前記経路データを読み出して表示することを特徴とする。
【０００６】
本発明において、前記通信手段は、車両が前記目的地から案内経路上の規定の距離内である目的地近傍に到達した場合に前記車載機から送信される、前記携帯型端末装置を前記車載機から分離した位置である分離位置を受信し、前記記憶手段は、前記分離位置を記憶し、前記表示手段は、前記車載機と分離した状態において前記記憶手段に記憶された前記分離位置を読み出して表示してもよい。
【０００７】
また、本発明の車載情報処理装置は、前記携帯型端末装置と接続する接続手段と、前記携帯型端末装置から供給されたデータに基づいて処理する処理手段とを有することを特徴とする。
【０００８】
また、本発明の車載情報処理装置は、さらに、自車の現在位置を検出する位置検出手段とを有し、前記処理手段は、検出された現在位置及び前記携帯型端末装置から供給されたデータに基づいてナビゲーション機能を実行することを特徴とする。
【０００９】
また、本発明の車載情報処理装置は、さらに、音声入力手段と、音声出力手段とを有し、前記処理手段は、前記音声入力手段から入力された音を前記携帯型端末装置を介して情報センタに送信するとともに、前記携帯型端末装置から供給された音データを前記音声出力手段から出力することを特徴とする。
【００１０】
また、本発明の車載情報処理装置は、さらに、前記携帯型端末装置に電力を供給する電源とを有することを特徴とする。
【００１１】
本発明においては、携帯型端末装置と車載情報処理装置が分離状態にある場合には携帯型端末装置単独の機能として情報センタなどとデータ送受を行う。双方向データ通信手段には、遠隔地との通信を行う手段及び車載情報処理装置との通信を行う手段がともに含まれ、単独で機能する場合には遠隔地の情報センタなどと所定のデータ送受を行う。また、車載情報処理装置と結合した状態では、車載情報処理装置の有する機能を利用できるので、より高度なデータ送受を行う。双方向通信手段を用いて情報センタなどから取得したデータは車載情報処理装置に供給され、所定の処理が行われる。また、そのデータは携帯型端末装置に表示される。例えば情報センタなどから地図データを取得してナビゲーションを実行する場合、携帯型端末装置は地図データや案内経路を表示するナビゲーション画面として機能する。目的地近傍に到着し、車両を離れて目的地に向かう場合には、携帯型端末装置は車載情報処理装置から分離される。この場合、結合状態において車載情報処置装置から必要なデータが供給されるので、携帯型端末装置だけで確実に目的地に到達することができる。また、携帯型端末装置は車載情報処理装置と結合した状態では車載情報処理装置から電力が供給されるため、携帯時の電力不足も防止される。
【００１２】
【発明の実施の形態】
以下、図面に基づき本発明の実施形態について説明する。
【００１３】
図１には、携帯型端末装置と車載情報処理装置が結合した状態のシステム構成図が示されている。
【００１４】
車載情報処理装置１０は、ＧＰＳレシーバ、ジャイロ、ＳＤＲＡＭ（同期型ＤＲＡＭ１６ＭＢ）、フラッシュＲＯＭ（１６ＭＢ以上）あるいはハードディスク、ＣＰＵ、プリアンプ、ＭＰ３デコーダ、インターフェースＩ／Ｆ１０ａ、電源回路を含んで構成される。
【００１５】
ＧＰＳレシーバは、ＧＰＳアンテナ１２からの信号を受信し、車両の現在位置を検出してＣＰＵに供給する。
【００１６】
ジャイロは、車両の方位を検出してＣＰＵに供給する。なお、検出された方位は車速とともに、所定位置からの車両の相対変位を検出するために用いられ、ＧＰＳで得られた位置データと、この相対変位データとに基づいて、車両の現在位置を高精度に検出する。
【００１７】
ＭＰ３デコーダは、ＭＰ３、すなわちＭＰＥＧ１のデータ圧縮フォーマットで圧縮された音声データを復調する。ＭＰ３データは、携帯型端末装置２２が、例えばインターネット経由で取得し、車載情報処理装置１０に供給する。
【００１８】
インターフェースＩ／Ｆ１０ａは、無線の他ＵＳＢ規格、ＲＳ２３２Ｃ規格、ＲＳ２３２Ｅ規格、ＩＥＥＥ１３９４規格に対応し、携帯型端末装置２２とのデータ送受を行う。携帯型端末装置２２は、インターフェースＩ／Ｆ１０ａに接続されたクレードル２４にセットすることで車載情報処理装置１０との通信が可能となる。なお、クレードル２４は車載情報処理装置１０の電源回路とも接続し、携帯型端末装置２２がクレードル２４にセットされた場合に電力を供給して充電する（図において、＋Ｂが電源ラインを示す）。
【００１９】
ＣＰＵは、クレードル２４に携帯型端末装置２２がセットされて携帯型端末装置２２が結合したことを検知し、携帯型端末装置２２から供給されたデータを処理するとともに、処理したデータをＩ／Ｆ１０ａ、クレードルを介して携帯型端末装置２２側に供給する。携帯型端末装置２２から地図データが供給された場合には、ＧＰＳレシーバやジャイロで検出された現在位置に基づいてナビゲーション機能を実行する。ここで、ナビゲーション機能には、設定された目的地に至る経路を探索する処理や、探索して得られた経路に沿って表示や音声で案内する機能が含まれる。また、探索して得られた経路の情報や経路周辺の施設情報、さらには目的地に関する情報の提供も含まれる。また、車載情報処理装置１０にマイク１６及びスピーカ１８が接続された場合には、マイク１６から入力された音声データを携帯型端末装置２２に供給するとともに、携帯型端末装置２２から供給された音声データをスピーカ１８から出力する。マイク１６から入力された音声データをそのまま供給してもよいが、ＣＰＵで音声を認識し、認識結果を供給してもよい。ＭＰ３データが携帯型端末装置２２から供給された場合には、ＭＰ３デコーダで復調して音楽データをスピーカ１８から出力する。また、復調した音楽データを図示しない出力端子から出力することにより、他のオーデイオ機器等へ供給することも可能である。なお、車載情報処理装置１０には、さらにディスプレイ１４を付加することもできる。但し、車載情報処理装置１０の主たる表示画面は携帯端末装置２２側にあり、車載情報処理装置１０で処理して得られたデータは携帯型端末装置２２に供給され、携帯型端末装置２２のディスプレイに表示される。
【００２０】
一方、携帯型端末装置２２は、電源回路、インターフェースＩ／Ｆ２２ａ、ＭＯＤＥＭ、ＣＰＵ、ディスプレイ、アンテナ、メモリを含んで構成される。
【００２１】
電源回路は２次電池を含み、ＣＰＵなどに電力を供給する。なお、既述したように、２次電池はクレードル２４にセットして車載情報処置装置１０と結合した場合に車載情報処理装置１０からの電力により充電される。
【００２２】
インターフェースＩ／Ｆ２２ａは車載情報処置装置１０側のインターフェースＩ／Ｆ１０ａとデータ送受を行うもので、無線やＵＳＢ規格、あるいはＲＳ２３２Ｃ規格、ＲＳ２３２Ｅ規格、ＩＥＥＥ１３９４規格に対応したインターフェースとすることができる。携帯型端末装置２２と車載情報処理装置１０間の通信は、基本的にはデジタルデータで行われるが、音声データの送受を行ってもよい。すなわち、データ通信と音声通信の切換機能を有することが好適である。デジタルデータ通信のプロトコルは、例えばＴＣＰ／ＩＰを用いることができる。
【００２３】
ＭＯＤＥＭは、車載情報処理装置１０から供給されたデジタルデータを音声データに変換するとともに、アンテナを介して情報センタなどから取得した音声データ形式のデータをデジタルデータに変換する。デジタルデータに変換された取得データはＣＰＵあるいは車載情報処理装置１０に供給される。
【００２４】
ＣＰＵは、携帯型端末装置２２がクレードル２４にセットされて車載情報処理装置１０と結合したことを検知し、情報センタなどから取得したデータを車載情報処理装置１０側に供給するとともに、車載情報処理装置１０から供給されたデータをメモリに格納し、あるいはＭＯＤＥＭ及びアンテナを介して情報センタに送信する。なお、図には示していないが、携帯型端末装置２２は通常の携帯電話と同様にマイク及びスピーカを有し、単独では通常の電話回線による通話が可能な携帯電話としても機能することができる。
【００２５】
ディスプレイ１４は、情報センタから取得したデータを表示するとともに、車載情報処理装置１０から供給されメモリに記憶されたデータを表示する。車載情報処理装置１０から分離されている状態では、分離前、すなわち結合情報で情報処理装置１０から供給されメモリに記憶されているデータを表示する。
【００２６】
このようなシステム構成において、例えばナビゲーション機能を実行する場合の処理について説明する。
【００２７】
図２には、図１に示された携帯型端末装置２２と通信を行う情報センタ側のシステム概念図が示されている。情報センタは、複数のサーバ及びデータベースを含んで構成され、ユーザの要求に合致するデータを統合してユーザに提供する。
【００２８】
クライアントエージェントサーバ１００は、ユーザの個人情報などを管理するサーバで、車両の走行状態（車速や現在位置）、ユーザの個人情報（ＩＤやパスワードＰＡＳＳ、ユーザからのリクエスト情報を処理する。クライアントエージェントサーバ１００は、ユーザを特定するためのクライアントデータベースＤ／Ｂを有している。
【００２９】
音声認識サーバ１０８は、ユーザ（クライアント）からの要求が音声データ形式で送られた場合に、この音声データを解釈し、解釈結果をクライアントエージェントサーバ１００に供給する。音声認識サーバ１０８は、この処理を実行するために音声認識エンジン、文章解析エンジン及び語彙データベースＤ／Ｂを有している。
【００３０】
センターナビエンジン１０２は、ナビゲーションに必要なデータ、具体的には地図データや目的地に至る経路を探索して得られた経路データを提供する。
【００３１】
電子メールサーバ１０４は、インターネットに接続され、電子メールの送受を管理する。
【００３２】
コンテンツデータベースＤ／Ｂ１１２は、各種の施設情報やイベント情報、ニュース情報を記憶し、コンテンツ統合エンジン１０１に供給する。地図データベースＤ／Ｂ１１４は、表示用の地図描画データベースや経路探索用地図データを有し、これらのデータをコンテンツ統合エンジン１０１に供給する。
【００３３】
音声合成サーバ１１０は、音声合成エンジン及び音声合成データベースＤ／Ｂを有し、ユーザに音声で情報を提供する場合に必要な音声データをコンテンツ統合エンジン１０１に供給する。
【００３４】
コンテンツ統合エンジン１０１は、ユーザから要求された地図データや目的地に至る経路データ、施設情報やイベント情報、ニューズ情報、電子メール情報を統合してユーザにデジタルデータ、あるいは音声データとして提供する。
【００３５】
なお、外部コンテンツプロバイダ１０６やアウトソースエージェントサーバ１１６、外部センタ１１８、放送メディア１２０、道路情報提供メデイア１２２は、外部機関の有する種々の情報、例えば地上波デジタル放送やラジオ放送を提供するためのものである。
【００３６】
以下、図３及び図４を用いて、本実施形態の処理を詳細に説明する。
【００３７】
図３及び図４には、ナビゲーションを行う場合の携帯型端末装置２２と情報センタとのデータ送受の様子が時系列で示されている。なお、携帯型端末装置２２はクレードル２４にセットされ、車載情報処理装置１０と結合した状態である。まず、携帯型端末装置２２をクレードル２４にセットすると、車載情報処置装置１０のＣＰＵあるいは携帯型端末装置２２のＣＰＵが結合状態を検知し、車載情報処理装置１０のＦ／ＲＯＭに記憶されているユーザのＩＤやパスワードＰＡＳＳを携帯端末装置２２の電話機能を用いて情報センタに送信する。なお、この際通信ステータスや車載情報処理装置１０と結合していることを示す情報（図では、結合状態を便宜上「ＮＡＶＩ  ＮＥＴモードと称している）を送信することが好適である。これらのデータを受信した情報センタでは、ユーザＩＤやパスワードＰＡＳＳを照合し、ユーザ宛の電子メールやイベント情報、ニュースなどを統合して返信する。情報センタからのデータを受信した携帯型端末装置２２は、車載情報処理装置１０に受信したデータを供給する。車載情報処理装置１０は、携帯型端末装置２２からのデータを例えばスピーカ１８から出力する。出力されるデータは、例えば「こんにちわ、＊＊さん。おいしいお店とお買い得情報が追加されています。ご要望をどうぞ」などである。
【００３８】
このような音声出力に対し、ユーザが「おいしいお店」とマイク１６から入力すると、車載情報処理装置１０は携帯型端末装置２２にユーザの入力音声データを供給する。携帯型端末装置２２は、この音声データを情報センタに送信する。この要求データを受信した情報センタでは、音声認識により要求の内容を解析し、要求の内容に合致するデータを検索して返信する。なお、検索中はその旨のデータを返信し、スピーカ１８から「おいしいお店を目的地にして経路を検索します」などのメッセージを出力することが好適である。そして、検索が完了した場合には、検索完了データを返信する。本実施形態では、目的地までの経路が３通り存在し、これら３つのいずれを選択するかをまずユーザに問いかけている。問いかけのデータは文字データや音声データで返信する。文字データは携帯型端末装置２２のディスプレイ上に表示される。図では、「おすすめ道路」、「とにかく早く着きたい」、「有料道路は使わない」と表示されている。音声データは車載情報処理装置１０のスピーカ１８に出力され、例えば「検索完了しました。おすすめ道路、最短時間経路、有料道路は使わない経路のどれになさいますか」などと出力される。
【００３９】
このような音声出力及び表示に対し、ユーザが「とにかく早く着きたい」という嗜好をマイク１６から入力した場合、あるいは携帯型端末装置２２のキーパッドから該当する番号を入力した場合、携帯型端末装置２２はこれらの嗜好データを情報センタに送信する。情報センタでは、送信された音声データを認識し、あるいは情報データに基づいて対応する経路を探索する。経路探索は、ユーザが選択した嗜好、交通情報、イベント情報に基づいて行われ、得られた経路データを返信する。返信する経路データとしては、具体的には全ルートデータ、現在地付近の地図データ、案内交差点データ、案内音声データ、施設情報データ、イベント情報データなどである。なお、最初の車両現在地は、ＩＤ、パスワード、通信ステイタス、結合状態モード通知と同時に送信しておくことができる。経路データを受信した携帯型端末装置２２は、車載情報処理装置１０に供給する。車載情報処理装置１０は、ＧＰＳやジャイロで検出された車両現在位置と地図データを重畳するとともに、目的地までの案内経路を重畳して携帯端末装置２２に供給し、ディスプレイ１４に表示する。なお、携帯型端末装置２２が十分なメモリや処理速度を有している場合には、車載情報処理装置１０から車両の現在位置データを受け取り、自己で処理して地図データ上に現在位置及び案内経路を重畳表示してもよい。そして、車載情報処理装置１０は、案内経路と現在位置とを逐次照合し、音声出力のタイミングを決定してスピーカ１８から「次の交差点を右折です」などと案内する。また、このようなナビゲーションを行っている間、車載情報処理装置１０は車両の走行ステータス（車速など）や現在位置データなどを所定時間（あるいは所定走行距離）毎に携帯型端末装置２２に供給し、携帯型端末装置２２はこれらのデータを情報センタに送信する。これらのデータは、情報センタ側でユーザの走行状況を把握するために用いられる。
【００４０】
ユーザが目的地に到着するまでに、情報センタ側で把握している状況に変化が生じた場合、例えば経路上で事故や渋滞が発生した場合には、情報センタは携帯型端末装置２２にイベント情報を新たに提供する。ユーザが新たな経路を要求する場合には、マイク１６からその旨入力するか、携帯型端末装置２２のキーパッドから入力して送信する。情報センタは、この送信に応じて新たな経路を探索し、得られた経路を返信する。携帯型端末装置２２は情報センタからの返信データを車載情報処理装置１０に供給し、スピーカ１８から「新しい経路をご案内します」などと音声出力するとともに、新たな経路をディスプレイに表示する。
【００４１】
そして、目的地近傍に到着したことを案内経路と現在地から検出した場合、車載情報処理装置１０はスピーカ１８から「目的地付近の駐車場に到着しました。お店まで徒歩約２分です。今日のおすすめは大海丼１５００円です」などと出力してユーザを案内する。駐車場から店までの所要時間や、店のメニューなどの情報は、情報センタから返信されたデータに含まれているものであり、車載情報処理装置１０は、駐車場に到着したことをトリガとして、このデータをメモリから読み出して出力する。
【００４２】
また、車載情報処理装置１０のＣＰＵは、このような案内を出力するとともに、当該店近傍の地図データや経路データ、並びに当該店のデータ（メニューや店の写真データ）を携帯型端末装置２２に供給する。携帯型端末装置２２は、車載情報処理装置１０から供給されたデータをメモリに記憶し、地図データをディスプレイ１４に表示する。これにより、ユーザは、携帯型端末装置２２をクレードル２４から取り外して携帯し、ディスプレイ１４に表示された地図を見ながら目的の店まで容易に到達することができる。携帯型端末装置２２にＧＰＳ装置が付加されている場合には、地図データ上に自己の位置を表示することで、一層容易に目的の店に到達することができる。
【００４３】
なお、本実施形態では、車載情報処理装置１０で現在地が目的地近傍の駐車場であることを検出し、この検出をトリガとして目的地近傍の地図データを携帯型端末装置２２に供給しているが、目的地近傍の駐車場に到達したことを携帯型端末装置２２に指令し、携帯型端末装置２２から情報センタに目的地近傍の地図データを要求することで、必要な地図データをメモリに記憶することも可能である。
【００４４】
また、車載情報処理装置１０から携帯型端末装置２２に目的地近傍の地図データを供給する際に、現在位置、すなわちユーザが携帯型端末装置２２を取り外した位置を同時に供給することも好適である。これにより、ユーザが目的の店から自分の車両に戻る際の経路も提供する（地図上に駐車位置を表示する）ことが可能となる。
【００４５】
また、目的地近傍の駐車場が地下駐車場である場合には、目的地近傍の地図データを供給するとともに、詳細な駐車位置をユーザに対して音声で問いかけ、ユーザがマイク１６から入力した駐車位置データを携帯型端末装置２２のメモリに記憶させておくことも好適である。これにより、ユーザはより確実に自己の車両に戻ることができる。
【００４６】
また、本実施形態では、携帯型端末装置２２をクレードル２４にセットすることで車載情報処理装置１０と携帯型端末装置２２が結合された状態としているが、車両のイグニッションキーをＡＣＣオン状態とした場合に結合状態、すなわち車載情報処理装置１０と携帯型端末装置２２間でデータ送受を行う状態とし、ＡＣＣオフ状態では、携帯型端末装置２２だけで機能する分離状態とすることもできる。分離状態では、車載情報処理装置１０と結合している状態であるデータ（本実施形態では、既述したように「ＮＡＶＩＮＥＴモード」）が情報センタに送信されないので、情報センタでは分離状態に応じたデータを返信することになる。例えば、音声を用いないナビゲーション用経路データなどである。携帯型端末装置２２は、分離状態では通常の携帯電話として機能するが、クレードル２４にセットした状態でも、車載情報処理装置１０のマイク１６及びスピーカ１８を用いた携帯電話（いわゆるハンドフリー電話）として機能することもできる。
【００４７】
【発明の効果】
以上説明したように、本発明によれば、車載機と携帯型端末機との共働により、携帯型端末機を効果的に使用して、よりユーザフレンドリーなナビゲーション機能を提供することができる。
【図面の簡単な説明】
【図１】  本発明の実施形態のシステム構成図である。
【図２】  本発明の実施形態の情報センタ側概念構成図である。
【図３】  本発明の実施形態の処理説明図（その１）である。
【図４】  本発明の実施形態の処理説明図（その２）である。
【符号の説明】
１０  車載情報処理装置（車載機）、２２  携帯型端末装置。
【図１】
0003896728.tif 000002
【図２】
0003896728.tif 000003
【図３】
0003896728.tif 000004
【図４】
0003896728.tif 000005